(57)【要約】      （修正有）【課題】打撃ドライバを上動させることにより生成される圧縮ガスの圧力で打撃ドライバの打ち込みを行うガスバネ式の打ち込み工具において、打撃ドライバの大型化、重量化を招くことなく打撃ドライバを打ち込み待機位置にあたる上動端位置にリフトできるようにする。【解決手段】リフトモータ１８により回転するリフトローラ１６と押圧ローラ１７との間に打撃ドライバ１３を挟み込んで、両者間の摩擦力により上動させる構成として打撃ドライバ１３の軽量化を図る。【選択図】図２
2020025988.tif 000002
【特許請求の範囲】
【請求項１】
打ち込み具打撃用の打撃ドライバを上動端位置に上動させることにより生成される圧縮ガス生成室のガス圧を打ち込み動作の動力源とする打ち込み工具であって、
前記打撃ドライバを前記上動端位置に上動させるためのリフト機構を備えており、
該リフト機構は、前記打撃ドライバを挟み込んで発生する摩擦力により上動させる構成とした打ち込み工具。
【請求項２】
請求項１記載の打ち込み工具であって、
前記リフト機構は、ばね力により前記打撃ドライバを挟み込む構成とした打ち込み工具。
【請求項３】
請求項２記載の打ち込み工具であって、
前記リフト機構は、前記打撃ドライバを回転するリフトローラと前記ばね力で押圧される押圧ローラとで挟み込んで上動させる構成とした打ち込み工具。
【請求項４】
請求項３記載の打ち込み工具であって、前記打撃ドライバが前記リフトローラの周面に対して凹凸係合されている打ち込み工具。
【請求項５】
請求項４記載の打ち込み工具であって、前記打撃ドライバを前記リフトローラの周面に設けた溝部の相互に対向する２つの傾斜面に押圧させる構成とした打ち込み工具。
【請求項６】
請求項２〜５の何れか１項に記載した打ち込み工具であって、前記ばね力を調整可能とした打ち込み工具。
【発明の詳細な説明】
【技術分野】
【０００１】
本発明は、釘等の打ち込み具を打ち込む打ち込み工具に関する。
【背景技術】
【０００２】
この種の打ち込み工具は、打ち込み具を打ち込み方向に打撃するための長尺の打撃ドライバを本体部に内装している。打撃ドライバを打ち込み方向に移動させる動力源として、様々な形態の動力源が用いられている。エアホースで外部から供給される圧縮エアを動力源とする圧縮エア式の打ち込み工具が一般的であるが、エアホースを接続する必要のないホースレスの打ち込み工具として、圧縮ガスを打ち込み方向の駆動源とするガスバネ式の打ち込み工具が提供されている。下記の特許文献１に開示されているように、ガスバネ式の打ち込み工具では、打撃後にギヤの噛み合いを利用して打撃ドライバを上動端位置側に戻す段階で、ピストン上室に封入したガスを圧縮して打撃のため駆動源とする構成を備えている。
【先行技術文献】
【特許文献】
【０００３】
【特許文献１】特開２０１６−６８２２１号公報
【発明の概要】
【発明が解決しようとする課題】
【０００４】
上記したように従来のガスバネ式打ち込み工具では、打撃ドライバにラックギヤを設ける必要があり、その結果ガス圧縮荷重に耐える強度を確保するためラックギヤが大型化して重量が増大する。打撃ドライバが大型化、重量化するため、打ち込み時の反動が大きくなって打ち込み工具の使い勝手悪くなる問題があった。
【０００５】
本発明は、ガスバネ式の打ち込み工具において、打撃ドライバの大型化若しくは重量化を招くことなく打ち込み待機位置にあたる上動端位置にリフトできるようにしてその使い勝手を高めることを目的とする。
【課題を解決するための手段】
【０００６】
上記した課題は以下の各発明により解決される。第１の発明は、打ち込み具打撃用の打撃ドライバを打ち込み待機位置としての上動端位置に上動させることにより生成される圧縮ガス生成室のガス圧を打ち込み動作の動力源とする打ち込み工具である。第１の発明では、打撃ドライバを上動端位置に上動させるためのリフト機構を備えている。第１の発明では、リフト機構は、打撃ドライバを挟み込んで発生する摩擦力により上動させる構成を備えている。
【０００７】
第１の発明によれば、打撃ドライバを上動端位置に上動させるリフト機構は、従来のようなラック歯の噛み合いではなく、摩擦力により打撃ドライバを上動端位置に戻す構成を備えていることから、従来よりも打撃ドライバの小型化、軽量化を図ってその打撃時の反動を抑制して当該打ち込み工具の使い勝手をよくすることができる。また、従来のような歯欠けがない点で、耐久性及びメンテナンス性を高めることができる。
【０００８】
第２の発明は、第１の発明において、リフト機構は、ばね力により打撃ドライバを挟み込む構成とした打ち込み工具である。
【０００９】
第２の発明によれば、２つの部材間に打撃ドライバを挟み込み、この部材をばね力（ばねの付勢力）により打撃ドライバに押し付けることにより摩擦力が発生する。
【００１０】
第３の発明は、第２の発明において、リフト機構は、打撃ドライバを回転するリフトローラとばね力で押圧される押圧ローラとで挟み込んで上動させる構成とした打ち込み工具である。
【００１１】
第３の発明によれば、打撃ドライバがリフトローラと押圧ローラで挟み込まれ、この挟み込み状態でリフトローラが回転することにより打撃ドライバが摩擦力で上動端位置まで上動される。
【００１２】
第４の発明は、第３の発明において、打撃ドライバがリフトローラの周面に対して凹凸係合されている打ち込み工具である。
【００１３】
第４の発明によれば、打撃ドライバを上動端位置に戻すための摩擦力を効率よく高めることができる。
【００１４】
第５の発明は、第４の発明において、打撃ドライバをリフトローラの周面に設けた溝部の相互に対向する２つの傾斜面に押圧させる構成とした打ち込み工具である。
【００１５】
第５の発明によれば、簡単な構成で摩擦力を効率よく高めることができる。
【００１６】
第６の発明は、第２〜第５の何れか一つの発明において、ばね力を調整可能とした打ち込み工具である。
【００１７】
第６の発明によれば、打撃ドライバを上動端位置に戻すために必要かつ十分な摩擦力を容易に設定することができる。
【図面の簡単な説明】
【００１８】
【図１】本発明の実施形態に係るガスバネ式の打ち込み工具の全体側面図である。本図は、打撃ピストンが下動途中に位置する状態を示している。
【図２】図１の(II)-(II)線断面矢視図であって、リフト機構の詳細図である。
【発明を実施するための形態】
【００１９】
次に、本発明の実施形態を図１〜図２に基づいて説明する。図１に示すように本実施形態では、打ち込み工具１として圧縮ガスＧ（窒素ガスや大気等の気体）の圧縮力を動作源として利用するガスバネ式のＤＣ釘打機が示されている。この打ち込み工具１は、工具本体部１０と、打ち込み具ｎが打ち出される打ち込みノーズ部２０と、使用者が把持するハンドル部２と、多数本の打ち込み具ｎを並列に仮結合した連結打ち込み具Ｎを装填するためのマガジン３とを備えている。
【００２０】
工具本体部１０には、打撃ピストン１１を気密に内装した打撃シリンダ１２が内装されている。打撃ピストン１１の下面中心に長尺棒形の打撃ドライバ１３が結合されている。打撃ドライバ１３は、打撃ピストン１１の下面中心から下方（打ち込み方向）に長く伸びている。打撃ドライバ１３の下端部は、打ち込みノーズ部２０の打ち込み通路２０ｂ内に至っている。打ち込み通路２０ｂ内に１本の打ち込み具ｎが供給される。打ち込み通路２０ｂ内を打撃ドライバ１３が下動することにより、打ち込み具ｎが打撃される。打撃された打ち込み具ｎは、打ち込み通路２０ｂの先端（射出口２０ａ）から打ち出されて打ち込み材Ｗに打ち込まれる。
【００２１】
打撃シリンダ１２の上部であって打撃ピストン１１の上室には、気密に区画形成された圧縮ガス生成室１４が設けられている。圧縮ガス生成室１４には予めガスが封入されている。打撃ピストン１１が打撃シリンダ１２内を上動することにより圧縮ガス生成室１４のガスが圧縮されて圧縮ガスＧが生成される。生成された圧縮ガスＧが、打撃ドライバ１３を下動させて打ち込み具ｎを打撃するための動力源（打ち込み力）となる。
【００２２】
打撃シリンダ１２の下部には、打撃ピストン１１が下動端に至った際の衝撃を吸収するための下動端ダンパ１５が設けられている。下動端ダンパ１５の下側には、打撃ドライバ１３を上動端位置まで戻す（上動させる）ためのリフト機構６が設けられている。リフト機構６は、打撃ドライバ１３と一体で打撃ピストン１１を上動させることから圧縮ガス生成機構としての機能を有している。
【００２３】
リフト機構６は、打撃ドライバ１３を左右両側から挟み込むリフトローラ１６と押圧ローラ１７を備えている。図２には打撃ドライバ１３が、リフトローラ１６と押圧ローラ１７とに挟み込まれた状態が示されている。リフトローラ１６は、リフトモータ１８の出力軸１８ａに取り付けられて回転駆動される。リフトローラ１６は、２つの軸受１８ｂにより両端支持されている。また、押圧ローラ１７は、皿バネ１９のばね力（付勢力）で打撃ドライバ１３に押圧されている。
【００２４】
押圧ローラ１７は、支軸１７ａを介して押圧台１７ｂに回転自在に支持されている。押圧台１７ｂは、ベース部１７ｃに対して図２において上下方向（打撃ドライバ１３に対して接近、離間する方向）に変位可能に支持されている。ベース部１７ｃと押圧台１７ｂとの間に複数の皿バネ１９が介装されている。図では２枚の皿バネ１９を例示したが、皿バネ１９の枚数を変更する等して押圧ローラ１７の押圧力を調整することができる。
【００２５】
押圧台１７ｂは、電磁アクチュエータ２１の引き込み動作により図２において上方へ変位する。押圧台１７ｂが上方へ変位すると、押圧ローラ１７の打撃ドライバ１３に対する押圧状態が解除される。電磁アクチュエータ２１は電力供給により引き込み側へ動作する。電磁アクチュエータ２１への電力供給が遮断されると、引き込み力が解除されて押圧台１７ｂが皿バネ１９の付勢力により図２において下方へ変位し、従って打撃ドライバ１３に押圧される。
【００２６】
図２に示すように打撃ドライバ１３は、その周囲ほぼ半分が円弧形の外周面（円弧面１３ａ）とされ、残りのほぼ半分が２つの平坦な外面（平坦面１３ｂ）とされている。これに対してリフトローラ１６の周面には、Ｖ字形の溝部が形成されて、相互に一定の角度を有して対向する一対の傾斜面（摩擦面１６ａ）が設けられている。両摩擦面１６ａに打撃ドライバ１３の平坦面１３ｂがそれぞれ線当たり状態で押圧される。これにより、押圧ローラ１７の皿バネ１９による押圧力がその押圧方向とは異なる方向に分散されて両摩擦面１６ａに作用することから、簡易な構成により大きな摩擦力が効率よく得られるようになっている。また、打撃ドライバ１３がリフトローラ１６の周面に設けたＶ字形の溝部に嵌まり込んで径方向にオーバーラップ（凹凸係合）した状態で押圧されることによっても高い摩擦力が得られるようになっている。
【００２７】
また、押圧ローラ１７の周面には、半円弧形の溝部１７ｄが形成されている。この溝部１７ｄに円弧面１３ａが線当たり状態で押圧される。このように、打撃ドライバ１３に対して、リフトローラ１６の一対の摩擦面１６ａを押圧し、かつ押圧ローラ１７の半円弧形の溝部１７ｄを押圧させることにより、打撃ドライバ１３に対して大きな摩擦力が発生するようになっている。
【００２８】
ハンドル部２の基部には、把持した手の指先で引き操作するトリガ形式のスイッチレバー５が設けられている。また、ハンドル部２の先端には充電式のバッテリ４が取り付けられている。リフトローラ１６を回転駆動させるリフトモータ１８はこのバッテリ４の電力を電源としている。バッテリ４は、ハンドル部２の先端から取り外して別途用意した充電器で充電することにより繰り返し使用することができる。
【００２９】
また、図示は省略したが打ち込みノーズ部２０には、打ち込み材Ｗに押し付けて相対的に上動させるコンタクトアームが設けられている。打ち込みノーズ部２０の先端（射出口２０ａ）を打ち込み材Ｗに向けてコンタクトアームを上動させ、若しくはスイッチレバー５の引き操作の一方の操作（第１操作）をすると、電力供給状態となってリフトモータ１８が起動する。リフトモータ１８の起動によりリフトローラ１６が回転する。
【００３０】
押圧ローラ１７が打撃ドライバ１３に押圧されることにより発生するリフトローラ１６と押圧ローラ１７との挟み込み状態で、リフトローラ１６が回転することにより打撃ドライバ１３が下動端位置（初期状態）から上動端位置に上動する。打撃ドライバ１３がリフトローラ１６の回転動力により下動端位置から上動端位置に上動されることにより、圧縮ガス生成室１４に圧縮ガスＧが生成される。
【００３１】
打撃ピストン１１が上動端位置に上動されて圧縮ガス生成室１４に圧縮ガスＧが生成された状態で、コンタクトアームの上動操作若しくはスイッチレバー５を引き操作の他方の操作（第２操作）をすると、電磁アクチュエータ２１が通電により引き込み側に作動して押圧ローラ１７の押圧状態が解除される。押圧ローラ１７の押圧状態が解除されると、打撃ピストン１１が圧縮ガス生成室１４で生成された圧縮ガスＧの圧縮力により下動し、従って打撃ドライバ１３が打ち込み通路２０ｂ内を下動して打ち込み具ｎを打撃する。
【００３２】
打撃ピストン１１が下動端に至って打ち込みがなされた後、第２操作を解除すると、通電の遮断により電磁アクチュエータ２１の引き込み動作が解除されて押圧ローラ１７が皿バネ１９の付勢力により再び打撃ドライバ１３に押圧される。押圧ローラ１７が押圧されることにより発生するリフトローラ１６との間の摩擦力により打撃ドライバ１３が上動する。
【００３３】
マガジン３には、多数本の打ち込み具ｎを並列に仮結合した連結打ち込み具Ｎが装填されている。マガジン３は、打ち込みノーズ部２０とハンドル部２との間に跨って支持されている。マガジン３は、工具本体部１０の打ち込み動作に連動して装填した連結打ち込み具Ｎを打ち込み通路２０ｂ側へピッチ送りする送り機構を備えている。
【００３４】
以上説明した打ち込み工具１によれば、打撃ドライバ１３を上動端位置に戻すためのリフト機構６は、リフトローラ１６と押圧ローラ１７とで挟み込まれることにより発生する摩擦力を利用して打撃ドライバ１３を上動端位置に戻す構成を備えている。この点、ラックギヤとピニオンギヤとの噛み合いを利用した従来のリフト機構とは大きく異なっている。
【００３５】
摩擦力を利用して打撃ドライバ１３を上動させるのであり、従来のようなラックギヤを打撃ドライバ１３に設ける必要がないことから、打撃ドライバ１３の小型、軽量化を図ることができる。打撃ドライバ１３の小型、軽量化を図ることにより、その打撃時の反動を小さくして当該打ち込み工具１の使い勝手を高めることができる。
【００３６】
また、従来のようなギヤの噛み合いを利用しないことから、歯欠けが発生せず、この点でリフト機構６の耐久性及びメンテナンス性を高めることができる。
【００３７】
さらに、本実施形態に係るリフト機構６によれば、リフトローラ１６の周面に、Ｖ字形の溝部の側面に相当する一対の摩擦面１６ａが設けられ、両摩擦面１６ａにそれぞれ平坦面１３ｂが皿バネ１９による押圧方向とは異なる方向に押圧されることによるくさび作用により大きな摩擦力を得ることができ、これにより大きなリフト力を得ることができるようになっている。
【００３８】
以上説明した実施形態には種々変更を加えることができる。例えば、リフト機構６において、皿バネ１９の枚数を変更することにより、押圧ローラ１７の押圧力を調整することができる。また、皿バネ１９に代えて圧縮ばねやリーフスプリング等のその他のばね手段を用いる構成としてもよい。エアダンパや電磁アクチュエータを用いて押圧力を発生させる構成としてもよい。
【００３９】
また、リフトローラ１６の周面に一つのＶ字形の溝部を設けた構成を例示したが、周面に複数条の溝部を設ける一方、平板形状の打撃ドライバの片面に複数条の突条を設け、各突条をそれぞれ溝部に嵌まり込ませて上動させるための摩擦力を発生させる構成としてもよい。
【００４０】
リフトローラの周面に突条を設け、この突条を打撃ドライバ側に設けたＶ字形の溝部に嵌まり込ませて両者間に摩擦力を発生させる構成としてもよい。
【００４１】
リフトローラ１６と押圧ローラ１７の一組で打撃ドライバ１３を挟み込む構成を例示したが、複数組で打撃ドライバ１３を挟み込む構成としてもよい。
【符号の説明】
【００４２】
１…打ち込み工具（ガスバネ式）
２…ハンドル部
３…マガジン
４…バッテリ
５…スイッチレバー
６…リフト機構
１０…工具本体部
１１…打撃ピストン
１２…打撃シリンダ
１３…打撃ドライバ
１３ａ…円弧面、１３ｂ…平坦面
１４…圧縮ガス生成室
１５…下動端ダンパ
１６…リフトローラ
１６ａ…摩擦面
１７…押圧ローラ
１７ａ…支軸、１７ｂ…押圧台、１７ｃ…ベース部、１７ｄ…溝部
１８…リフトモータ
１８ａ…出力軸、１８ｂ…軸受
１９…皿バネ
２０…打ち込みノーズ部
２０ａ…射出口、２０ｂ…打ち込み通路
【図１】
2020025988.tif 000003
【図２】
2020025988.tif 000004